(57)【要約】【課題】植物の重み等によって壁面から落下したり、植物が植栽された基盤から剥離しないことを課題とする。【解決手段】植栽パネル１０を構成するパネル１２には、開口部１６が形成されており、この開口部１６の周囲には、植物５０の根を受けるポケット１４が設けられている。これにより、植栽パネル１０を壁面２４に取り付けたとき、ポケット１４で植物５０の根の育成に必要な土壌４８が受けられるため、植物５０が良好に生育する。また、ポケット１４が植物５０の自重を受けるため、植物５０が成長しても、植栽パネル１０から落下したり、風が植物５０に当たって植栽パネル１０から剥離することがない。さらに、ポケット１４に植栽された植物５０の根は、開口部１６から植栽パネル１０の裏面に侵入する。これにより、植物５０の根は、植栽パネル１０の裏面に設けられた保水吸水シート３４に絡みついて、しっかりと固定される。 【選択図】図１
2008029322.tif 000002
【特許請求の範囲】
【請求項１】
板状のパネルと、
前記パネルに形成された開口部と、
前記開口部の周囲から突設され、植物の根部を受ける根受部と、
前記パネルの裏面に形成された凹部と、
を有して構成されていることを特徴とする植栽パネル。
【請求項２】
前記凹部は、格子状の溝とされていることを特徴とする請求項１に記載の植栽パネル。
【請求項３】
前記パネルの裏面に、四角錐台状の凸部を所定の間隔で並べて前記凹部を形成していることを特徴とする請求項１に記載の植栽パネル。
【請求項４】
前記パネルの端部には、パネル同士を突き合わせて係合可能とする係合部が設けられていることを特徴とする請求項１〜請求項３のいずれか１項に記載の植栽パネル。
【請求項５】
請求項１〜請求項４のいずれか１項に記載の植栽パネルを、保水層が取り付けられた壁面に固定して構成されたことを特徴とする壁面緑化構造。
【請求項６】
前記保水層を背面ボードに固定し、前記背面ボードを壁面に固定したことを特徴とする請求項５に記載の壁面緑化構造。
【請求項７】
前記保水層の上部には、該保水層に灌水する灌水手段が設けられていることを特徴とする請求項５又は請求項６に記載の壁面緑化構造。
【請求項８】
前記灌水手段は、前記保水層の上部が巻き付けられた有孔ホースであることを特徴とする請求項７に記載の壁面緑化構造。
【請求項９】
前記パネルには、前記背面ボードに取り付けられたボルトが挿通可能な挿通孔が形成されていることを特徴とする請求項５〜請求項８のいずれか１項に記載の壁面緑化構造。
【請求項１０】
前記パネルの表面から突設され、前記根受部に植栽された植物を保持する横材が固定される固定手段が設けられていることを特徴とする請求項５〜請求項９のいずれか１項に記載の壁面緑化構造。
【請求項１１】
前記パネルの上下の端面は、該パネルの表面から裏面に向かって下り勾配のテーパが形成されていることを特徴とする請求項５〜請求項１０のいずれか１項に記載の壁面緑化構造。
【請求項１２】
壁面に背面ボードを取り付ける第１の工程と、
前記背面ボードに保水層としての保水吸水シートを取り付ける第２の工程と、
前記保水吸水シートに、請求項１〜請求項４のいずれか１項に記載の植栽パネルを取り付ける第３の工程と、
前記植栽パネルの根受部に土壌を投入し、植物を植栽する第４の工程と、
を有することを特徴とする壁面緑化工法。
【請求項１３】
請求項１〜請求項４のいずれか１項に記載の植栽パネルの裏面に、保水層としての保水吸水シートを取り付け、前記保水吸水シートに背面ボードを重ねて、前記植栽パネルと前記保水吸水シートと前記背面ボードを一体に固定し、壁面緑化パネルを形成する工程と、
前記壁面緑化パネルを取付手段で、壁面に取り付ける工程と、
を有することを特徴とする壁面緑化工法。
【請求項１４】
前記取付手段は、前記壁面に固定された固定板と、前記固定板から突出され、前記壁面緑化パネルに形成された孔に挿通される棒材と、前記棒材の先端部分に支持される押え板と、前記棒材に取り付けられ、前記押え板と前記固定板で前記壁面緑化パネルを狭持させる締結手段と、を有して構成されていることを特徴とする請求項１３に記載の壁面緑化工法。
【請求項１５】
前記取付手段は、前記壁面に形成された前記壁面緑化パネルが嵌合可能な凹部であることを特徴とする請求項１３に記載の壁面緑化工法。
【請求項１６】
前記取付手段は、前記壁面に取り付けられた前記壁面緑化パネルの周囲に設けられた囲い枠であることを特徴とする請求項１３に記載の壁面緑化工法。
【発明の詳細な説明】
【技術分野】
【０００１】
本発明は、壁面を緑化する植物が植栽される植栽パネル、この植栽パネルを用いて壁面を緑化する壁面緑化構造及び、壁面緑化工法に関する。
【背景技術】
【０００２】
建物外壁等の垂直な壁面の緑化は、気温緩和効果（夏期には構造物の温度上昇抑制、冬期には構造物の断熱効果）、防音効果、暴風効果、防火的効用や火災延焼防止効果が認められ、景観の向上および植物のもつ環境改善効果もある。
【０００３】
そこで、壁面にフェルトや不織布からなる基盤を配置して、この中に植物の苗を植え込むことで、垂直な壁面の緑化を行う方法が採用されている（特許文献１参照）。しかし、特許文献１の方法では、基盤に植え込んだ植物は、地面に対して略平行に生育するので、植物が成長することにより、植物の重みや植物が風から受ける力によって、基盤が変形してしまったり、基盤から植物が剥離する恐れもある。
【０００４】
また、プラスチック素材からなる基板にポケットを設け、このポケットにポット栽培された植物を設置する方法がある（特許文献２参照）。特許文献２では、ポケットに傾斜が設けられ、植物は地面に対してやや斜め上方向に生育するようになっている。しかし、植物の根はポケット内でしか成長できないため、植物の大きな成長が見込めない。また、降雨の少ない乾期には、所定の頻度で各ポケット内に灌水を行う必要がある。
【特許文献１】特開２００４２５４５５９号公報
【特許文献２】特開２００６−２０６２１号公報
【発明の開示】
【発明が解決しようとする課題】
【０００５】
本発明は上記事実を考慮し、植物の重み等によって壁面から落下したり、植物が植栽された基盤から剥離しないことを課題とする。
【課題を解決するための手段】
【０００６】
請求項１に記載の発明の植栽パネルは、板状のパネルと、前記パネルに形成された開口部と、前記開口部の周囲から突設され、植物の根部を受ける根受部と、前記パネルの裏面に形成された凹部と、を有して構成されていることを特徴としている。
【０００７】
請求項１に記載の発明によれば、板状のパネルには、開口部が形成されており、この開口部の周囲には、植物の根を受ける根受部が突設されている。
【０００８】
これにより、植栽パネルを壁面に取り付けたとき、根受部で植物の根の育成に必要な土壌が受けられるため、植物が良好に生育する。
【０００９】
また、壁面にフェルト等の基盤を配置して、この中に苗を植え込む従来技術と比較して、根受部が植物の自重を受けるため、植物が成長しても植物自体の重みによってパネルから落下したり、風が植物に当たってパネルから剥離することがない。
【００１０】
さらに、根受部に植栽された植物の根は、開口部からパネルの裏面に侵入する。これにより、植栽パネルの裏面に例えば保水層を設けることで、この保水層に植物の根が絡みついて、植物がしっかりと固定される。
【００１１】
また、パネルの裏面に形成された凹部に沿って、植物の根が伸張可能とされている。これにより、開口部を通じてパネルの裏面に伸張した植物の根が、溝に沿って這うことができるので、根が広範囲にわたって伸張可能となり、植物が成長しやすい。
【００１２】
請求項２に記載の植栽パネルは、前記凹部は、格子状の溝とされていることを特徴としている。
【００１３】
請求項２に記載の発明によれば、パネルの裏面には、格子状の溝が形成されている。このように、凹部を溝状とすることで、パネルの裏面に容易に凹部が形成できる。
【００１４】
請求項３に記載の植栽パネルは、前記パネルの裏面に、四角錐台状の凸部を所定の間隔で並べて前記凹部を形成していることを特徴としている。
【００１５】
請求項３に記載の発明によれば、パネルの裏面には、四角錐台状の凸部を所定の間隔で並べることで、複数の凹部を形成している。これにより、パネルの裏面に保水層を設けたとき、この保水層とパネルの間に広い隙間が形成されるので、植物の根がパネルの裏面に沿って伸張しやすく、植物が成長しやすいと共に、植物の根が保水層に絡みつきやすい。
【００１６】
請求項４に記載の植栽パネルは、前記パネルの端部には、パネル同士を突き合わせて係合可能とする係合部が設けられていることを特徴としている。
【００１７】
請求項４に記載の発明によれば、パネルの端部には係合部が設けられており、パネル同士を付き合わせたとき、係合部が係合するようになっている。これにより、複数の植栽パネルを並設したとき、植栽パネルの端部が壁面から浮き上がりにくくなる。
【００１８】
請求項５に記載の発明の壁面緑化構造は、請求項１〜請求項４のいずれか１項に記載の植栽パネルを、保水層が取り付けられた壁面に固定して構成されたことを特徴としている。
【００１９】
請求項５に記載の発明によれば、保水層が取り付けられた壁面に、植栽パネルを固定する。そして、植栽パネルの根受部に土壌を投入して植物を植栽することで、壁面の緑化が行われる。このとき、植物の根は植栽パネルの根受部によって受けられると共に、保水層に絡みつくので、植物が壁面から剥離したり落下する恐れがない。
【００２０】
また、保水層には、灌水手段から灌水された水や雨水などが保水され、保水層から植物に水が常に供給されるので、植物を枯らしてしまうことがない。さらに、保水層によって植栽パネルに植栽された植物全体に水が供給されるので、灌水ムラによる植物の枯化を防止できる。
【００２１】
請求項６に記載の壁面緑化構造は、前記保水層を背面ボードに固定し、前記背面ボードを壁面に固定したことを特徴としている。
【００２２】
請求項６に記載の発明によれば、壁面に固定した背面ボードに保水層を固定する。これにより、保水層が背面ボードを介して壁面に固定されるので、保水層の姿勢が保たれる。また、保水層に植物の根が絡みついても、簡単に保水層が壁面から剥離しない。
【００２３】
請求項７に記載の壁面緑化構造は、前記保水層の上部には、該保水層に灌水する灌水手段が設けられていることを特徴としている。
【００２４】
請求項７に記載の発明によれば、保水層の上部には灌水手段が取り付けられており、灌水手段によって保水層に灌水される。これにより、植物の生育に必要な水分が保水層で保水されるので、必要に応じて（例えば、乾燥する時期など）保水層から植物の根に水が供給される。したがって、外部から定期的に灌水を行う必要がない。
【００２５】
請求項８に記載の壁面緑化構造は、前記灌水手段は、前記保水層の上部が巻き付けられた有孔ホースであることを特徴としている。
【００２６】
請求項８に記載の発明によれば、有孔ホースが保水層の上部に巻き付けられている。これにより、有孔ホースから灌水された水は、直接保水層に浸透して全体に行き渡るので、植栽パネルに植栽された植物全体にまんべんなく水分を供給できる。つまり、灌水ムラを引き起こすことがないので、部分的な植物の枯化が防止できる。
【００２７】
請求項９に記載の壁面緑化構造は、前記パネルには、前記背面ボードに取り付けられたボルトが挿通可能な挿通孔が形成されていることを特徴としている。
【００２８】
請求項９に記載の発明によれば、パネルには挿通孔が形成されており、背面ボードに取り付けられたボルトが挿通可能とされている。これにより、壁面に固定された背面ボードに、植栽パネルを固定する工程が簡単になる。
【００２９】
請求項１０に記載の発明の壁面緑化工法は、前記パネルの表面から突設され、前記根受部に植栽された植物を保持する横材が固定される固定手段が設けられていることを特徴としている。
【００３０】
請求項１０に記載の発明によれば、植栽パネルの表面には固定手段が突設され、この固定手段には横材が固定されている。そして、根受部に植栽された植物が、横材に固定される。これにより、根受部に植栽された植物が、根付いていなくても、根受部から落下しない。
【００３１】
請求項１１に記載の発明の壁面緑化工法は、前記パネルの上下の端面は、該パネルの表面から裏面に向かって下り勾配のテーパが形成されていることを特徴としている。
【００３２】
請求項１１に記載の発明によれば、パネルの上下の端面には、表面から裏面に向かって下り勾配のテーパが形成されており、パネルの表面に水分が流れ込まないようになっている。これにより、パネルの表面に苔が生えるのを防止できる。また、灌水手段から灌水された水分が、無駄にならずに保水吸水シートを介して植物に供給される。
【００３３】
請求項１２に記載の発明の壁面緑化工法は、壁面に背面ボードを取り付ける第１の工程と、前記背面ボードに保水層としての保水吸水シートを取り付ける第２の工程と、前記保水吸水シートに、請求項１〜請求項４のいずれか１項に記載の植栽パネルを取り付ける第３の工程と、前記植栽パネルの根受部に土壌を投入し、植物を植栽する第４の工程と、を有することを特徴としている。
【００３４】
請求項１２に記載の発明によれば、壁面に背面ボードを取り付け、この背面ボードに保水層としての保水吸水シートを取り付けた後、保水吸水シートに植栽パネルを取り付ける。そして、植栽パネルの根受部に土壌を投入して植物を植栽することで、壁面の緑化が行われる。
【００３５】
請求項１３に記載の発明の壁面緑化工法は、請求項１〜請求項４のいずれか１項に記載の植栽パネルの裏面に、保水層としての保水吸水シートを取り付け、前記保水吸水シートに背面ボードを重ねて、前記植栽パネルと前記保水吸水シートと前記背面ボードを一体に固定し、壁面緑化パネルを形成する工程と、前記壁面緑化パネルを取付手段で、壁面に取り付ける工程と、を有することを特徴としている。
【００３６】
請求項１３に記載の発明によれば、まず、植栽パネルの裏面に保水吸水シートを取り付け、この保水吸水シートに背面ボードを重ねて、植栽パネルと保水吸水シートと背面ボードを一体に固定し、壁面緑化パネルを形成する。そして、この壁面緑化パネルを、取付手段を用いて壁面に取り付ける。つまり、壁面に背面ボードを取り付け、背面ボードに保水吸水シートを取り付けた後、植栽パネルを保水吸水シートに取り付けるのではなく、予め壁面緑化パネルを形成しておき、この壁面緑化パネルを施工場所に運び込んで、壁面に取り付けることで、壁面の緑化を行う。
【００３７】
これにより、風雨の影響を受けない場所で、植栽パネルの根受部に植物を植栽し、植物の根が植栽パネルの根受部内で根付いてから、施工場所に壁面緑化パネルを運び込み、壁面に取り付けることができる。したがって、壁面に取り付けられた壁面緑化パネルの植物は、風雨などによって根受部から落下しにくい。
【００３８】
また、植物を根受部に植栽する際に、作業者の手が届く範囲で作業を行うことができるので、壁面に植栽パネルを取り付けてから、根受部に植物を植栽する場合と比較して、作業効率が良くなる。
【００３９】
請求項１４に記載の発明の壁面緑化工法は、前記取付手段は、前記壁面に固定された固定板と、前記固定板から突出され、前記壁面緑化パネルに形成された孔に挿通される棒材と、前記棒材の先端部分に支持される押え板と、前記棒材に取り付けられ、前記押え板と前記固定板で前記壁面緑化パネルを狭持させる締結手段と、を有して構成されていることを特徴としている。
【００４０】
請求項１４に記載の発明によれば、棒材が突設された固定板を壁面に固定し、壁面緑化パネルに形成された孔に、この棒材を挿通させる。そして、棒材の先端部分に押え板を支持させ、締結手段によって、押え板と固定板で壁面緑化パネルを挟持する。
【００４１】
これにより、壁面緑化パネルは壁面にしっかりと固定されるので、壁面に取り付けた壁面緑化パネルが、壁面から外れてしまう恐れがない。
【００４２】
請求項１５に記載の発明の壁面緑化工法は、前記壁面に形成された前記壁面緑化パネルが嵌合可能な凹部であることを特徴としている。
【００４３】
請求項１５に記載の発明によれば、壁面には凹部が形成されており、この凹部には壁面緑化パネルが嵌合可能とされている。これにより、壁面緑化パネルが壁面から出っ張らないので、壁面緑化パネルを取り付けることによって、壁面の周囲の空間が狭くならない。
【００４４】
請求項１６に記載の発明の壁面緑化工法は、前記取付手段は、前記壁面に取り付けられた前記壁面緑化パネルの周囲に設けられた囲い枠であることを特徴としている。
【００４５】
請求項１６に記載の発明によれば、壁面に取り付けられた壁面緑化パネルの周囲に囲い枠を設けることで、壁面緑化パネルが壁面に固定される。
【発明の効果】
【００４６】
本発明は上記構成としたので、植物の重み等によって壁面から落下したり、植物が植栽された基盤から剥離しない。
【発明を実施するための最良の形態】
【００４７】
次に、本発明の第１の実施形態に係る植栽パネル１０について説明する。
【００４８】
植栽パネル１０は、矩形状のパネル１２を有している。本実施形態では、パネル１２のサイズは、１０００ｍｍ×１０００ｍｍ×３０ｍｍとし、後述するポケット１４と共に、発泡スチロール等の合成樹脂で形成されている。
【００４９】
パネル１２には、所定の間隔で開口部１６が形成されている。開口部１６は、後述するポケット１４のサイズに対応した半円状とされている。本実施形態では、パネル１２の中央部分に、球径Φ３６ｍｍの開口部１６Ａが形成され、この開口部１６Ａの上下左右にそれぞれ２箇所ずつと、パネル１２の四隅に、合計１２個の球径Φ１８ｍｍの開口部１６Ｂが形成されている。
【００５０】
この開口部１６に連通するようにして、パネル１２の裏面には、複数の溝１８が所定の間隔で格子状に形成されている。これにより、植栽パネル１０の裏面に、後述する保水吸水シート３４（図２参照）を設けたとき、植栽パネル１０と保水吸水シート３４の間には、溝１８によって隙間が形成される。
【００５１】
また、パネル１２には、所定の間隔で（本実施形態では、４箇所）、後述するボルト４２（図２参照）が挿通可能な挿通孔２２が形成されている。
【００５２】
さらに、パネル１２の端部には、段部２０が形成されている。図１に示したパネル１２は、図の右側端部及び上側端部の表面に段部２０が形成されており、左側端部及び下側端部の裏面に段部２０が形成されている。これにより、図１１（Ａ）に示すように、植栽パネル１０を並設したときに、隣接する植栽パネル１０の段部２０が重なり合い、植栽パネル１０の浮き上がりが防止されるようになっている。
【００５３】
パネル１２の表面には、開口部１６を閉塞するようにして、ポケット１４が設けられている。ポケット１４は、球体を４分の１に分割した形状とされ、パネル１２の平面に沿った方向に開口している。これにより、パネル１２（植栽パネル１０）を垂直状態に配置すると、ポケット１４の開口が上を向くので、ポケット１４内に土壌４８（図８参照）を投入して植物５０を植栽したとき、土壌４８及び植物５０の根が、ポケット１４によって受けられる。
【００５４】
ポケット１４に植栽された植物５０の根は、開口部１６からパネル１２の裏面に侵入し、開口部１６と連通している溝１８内を伸張可能とされている。
【００５５】
ところで、ポケット１４は、各開口部１６に対応したサイズで設けられている。つまり、本実施形態では、パネル１２の略中央に、球径Φ３６ｍｍの開口部１６Ａに対応して、球径Φ３６ｍｍのサイズのポケット１４Ａが設けられている。また、このポケット１４Ａの上下左右には、球径Φ１８ｍｍの開口部１６Ｂに対応して球径Φ１８ｍｍのサイズのポケット１４Ｂが各２個ずつ配置され、パネル１２の四隅にも、球径Φ１８ｍｍの開口部１６Ｂに対応して、球径Φ１８ｍｍのサイズのポケット１４Ｂが配置されている。
【００５６】
このように、サイズの異なるポケット１４を設けることで、植栽パネル１０には異なる種類の植物５０が植栽可能とされる。例えば、ポケット１４Ａには、樹高が３ｍ以上となるタブノキ、ヤマモモ、ヤブツバキ、ヤマザクラ、ヤマモミジ、コナラ等の高木が植栽可能とされ、ポケット１４Ｂには、樹高が３ｍ以下のアセビ、シャクナゲ、ビョウヤナギ、アジサイ、ヤマブキ等の低木が植栽可能とされる。
【００５７】
パネル１２とポケット１４は、共に所定の厚みを有する発泡スチロールで形成され、表面にウレタン樹脂がコーティングされている。これにより、パネル１２及びポケット１４の表面強度及び耐久性がアップする。また、ウレタン樹脂のコーティング上に、耐水、耐酸、耐アルカリ等の抗菌作用のある下地材を塗装している。これによって、パネル１２及びポケット１４の表面に防水効果が施されるので、ウレタン樹脂にひびが入ったり、剥離するのが防止される。
【００５８】
なお、開口部１６、溝１８、段部２０及び挿通孔２２は、表面にウレタン樹脂をコーティングする前工程で、パネル１２に形成されている。このため、開口部１６、溝１８、段部２０及び挿通孔２２も、ウレタン樹脂及び下地材がコーティング（塗布）されている。
【００５９】
次に、上記構成の植栽パネル１０を用いた壁面２４の壁面緑化工法について説明する。
【００６０】
図２に示すように、壁面２４にはアンカーボルト２６（図３参照）によってＳ字プレート２８が取り付けられている。このＳ字プレート２８には、背面ボード３０に設けられたＳ字プレート３２（図４参照）が係合するようになっており、Ｓ字プレート２８及びＳ字プレート３２によって、背面ボード３０が壁面２４に取り付けられる。なお、背面ボード３０は、ＰＶＣ、コンパネ、コンクリート、石材、レンガ、鋼板等が用いられる。
【００６１】
背面ボード３０には、保水吸水シート３４が接着剤もしくはタッカーによって固定される。保水吸水シート３４は、１〜３ｃｍの厚みを有し、フェルト、不織布、ウレタン、ヤシ繊維、スポンジ、またはこれらの素材に熱感応性ゲルや保水性ゲルを混入させたもので形成され、植物５０（図８参照）の根が侵入可能とされている。
【００６２】
このように、保水吸水シート３４を設けることで、後述する灌水ホース３８から灌水された水が、保水吸水シート３４全体に吸収されるので、植栽パネル１０の植物５０の根へまんべんなく水が行き渡る。また、植栽パネル１０のポケット１４に植栽された植物５０の根が、開口部１６から植栽パネル１０の裏面に侵入し、保水吸水シート３４に絡みつくので、植物５０の剥離や落下の恐れがなくなる。
【００６３】
保水吸水シート３４には、上述した植栽パネル１０が複数枚（本実施形態では、７枚）取り付けられる。植栽パネル１０は、背面ボード３０、保水吸水シート３４と共に壁面２４に取り付けられ、植栽パネル１０の表面に配置した鋼板バー３６で、壁面２４との間に背面ボード３０及び保水吸水シート３４を挟み込んだ状態で、壁面２４に固定される。
【００６４】
なお、本実施形態では、植栽パネル１０は２段で配置されており、上側の段には３枚の１０００ｍｍ×１０００ｍｍ×３０ｍｍの植栽パネル１０が、下側の段には、上側の段の植栽パネル１０とずらした状態で、２枚の１０００ｍｍ×１０００ｍｍ×３０ｍｍの植栽パネル１０と、この２枚の植栽パネル１０の両側に、１０００ｍｍ×５００ｍｍ×３０ｍｍが配置されている。
【００６５】
このとき、横方向に並設された３枚（上側の段は３枚、下側の段は４枚）の植栽パネル１０は、１枚の鋼板バー３６で壁面２４に押さえつけられる。また縦方向に並設された２枚の植栽パネル１０も、１枚の鋼板バー３６で壁面２４に押さえつけられる。このような構成により、複数枚の植栽パネル１０を並設しても、鋼板バー３６によってしっかりと壁面２４に固定されるので、植栽パネル１０の端部が浮き上がりにくい。
【００６６】
保水吸水シート３４の上端には、灌水ホース３８が設けられる。灌水ホース３８は、図示しないパイプを介して、高圧ポンプにより水槽から水が高圧で送水される。また、灌水ホース３８には、水を灌水する灌水口４０が所定の間隔（本実施形態では、２〜５ｃｍ）で設けられている。これにより、水槽から灌水ホース３８に送水された水が、灌水口４０から灌水されて、保水吸水シート３４に吸水される。灌水は、１日４、５回程度実施し、１回の灌水時間は３〜５分とする。
【００６７】
ここで、壁面緑化工法の手順について説明する。
【００６８】
まず、図３に示すように、壁面２４にアンカーボルト２６を用いて、Ｓ字プレート２８を所定の間隔で固定する。Ｓ字プレート２８は、壁面２４に固定される側を下側に位置させ、壁面２４から浮き上がる側を上側に位置させて、壁面２４にフック状に固定される。
【００６９】
次に、図４に示すように、背面ボード３０を壁面２４に取り付ける。背面ボード３０には、壁面２４に固定されたＳ字プレート２８と同じ間隔で、裏面（壁面２４に対向する面）にＳ字プレート３２がボルト４２によって取り付けられている。Ｓ字プレート３２は、背面ボード３０に固定される側を上側に位置させ、背面ボード３０から浮き上がる側を下側に位置させて、背面ボード３０にフック状に固定される。これにより、壁面２４に設けられたＳ字プレート２８に、背面ボード３０のＳ字プレート３２を引っ掛けて、背面ボード３０を壁面２４に取り付ける。
【００７０】
次に、図５に示すように、背面ボード３０の表面に、保水吸水シート３４を取り付ける。保水吸水シート３４には、所定の間隔で切欠４４が形成されており、背面ボード３０の表面（保水吸水シート３４が取り付けられる面）に突出したボルト４２に、この切欠４４を引っ掛ける。そして、接着剤もしくはタッカーを用いて、保水吸水シート３４を背面ボード３０に固定する。
【００７１】
なお、保水吸水シート３４は、背面ボード３０よりも上下方向に長い構成とされており、上端が背面ボード３０よりもはみ出した状態で、背面ボード３０に取り付けられる。
【００７２】
次に、図６に示すように、保水吸水シート３４の表面（背面ボード３０と対向する側と反対側の面）に、植栽パネル１０を取り付ける。このとき、背面ボード３０の表面に突出し、保水吸水シート３４の切欠を貫通したボルト４２を、植栽パネル１０に設けられた挿通孔２２（図１参照）に挿通させる。
【００７３】
そして、図７に示すように、植栽パネル１０の表面に、長板状の鋼板バー３６を配置する。この鋼板バー３６には孔４６（図２参照）が形成されており、植栽パネル１０の表面に突出したボルト４２を、この孔４６に挿通させて、ナット３７を用いて締結する。
【００７４】
そして、図８に示すように、植栽パネル１０の上部に灌水ホース３８を配置して、上側にはみ出している保水吸水シート３４の上端を、灌水ホース３８に巻き付けると共に、固定具４１を用いて灌水ホース３８を背面ボード３０及び植栽パネル１０の上端に固定する。
【００７５】
このようにして、植栽パネル１０を壁面２４に取り付けた後、ポケット１４内に土壌４８を投入して植物５０を植栽する。
【００７６】
なお、図示は省略するが、壁面２４に取り付けた背面ボード３０、保水吸水シート３４及び植栽パネル１０の周囲には、見切り材を取り付けている。これにより、背面ボード３０、保水吸水シート３４及び植栽パネル１０の横方向のズレを防いでいる。
【００７７】
次に、本発明の第１の実施形態に係る植栽パネル１０の作用について説明する。
【００７８】
植栽パネル１０を構成するパネル１２には、開口部１６が形成されており、この開口部１６の周囲には、植物５０の根を受けるポケット１４が設けられている。
【００７９】
これにより、植栽パネル１０を壁面２４に取り付けたとき、ポケット１４で植物５０の根の育成に必要な土壌４８が受けられるため、植物５０が良好に生育する。
【００８０】
また、ポケット１４が植物５０の自重を受けるため、植物５０が成長しても、植栽パネル１０から落下したり、風が植物５０に当たって植栽パネル１０から剥離することがない。
【００８１】
さらに、ポケット１４に植栽された植物５０の根は、開口部１６から植栽パネル１０の裏面に侵入する。これにより、植物５０の根は、植栽パネル１０の裏面に設けられた保水吸水シート３４に絡みついて、しっかりと固定される。
【００８２】
また、植栽パネル１０の裏面に形成された溝１８に沿って、植物５０の根が伸張可能とされている。これにより、開口部１６から侵入した植物５０の根が、保水吸水シート３４に広範囲で絡みつくので、植物５０がしっかりと保水吸水シート３４に固定されると共に、植物５０が成長しやすい。
【００８３】
さらに、パネル１２の端部には段部２０が設けられており、植栽パネル１０を付き合わせたとき、段部２０が係合するようになっている。これにより、植栽パネル１０の端部が壁面２４から浮き上がりにくくなる。
【００８４】
また、植栽パネル１０と壁面２４との間に保水吸水シート３４を配置することで、灌水ホース３８から灌水された水や雨水などが、保水吸水シート３４に保水される。そして、必要に応じて植栽パネル１０のポケット１４に収容された植物５０の根に、保水吸水シート３４に保水されている水が供給されるので、降雨の少ない時期に植物５０に灌水しなくても、植物５０を枯らしてしまうことがない。
【００８５】
さらに、保水吸水シート３４と壁面２４の間に背面ボード３０を配置することで、保水吸水シート３４は姿勢が保たれた状態で、背面ボード３０にしっかりと固定され、壁面２４からずれることがない。
【００８６】
また、パネル１２及びポケット１４を発泡スチロールで形成することで、植栽パネル１０を軽量に構成できる。このため、ボルト４２に植栽パネル１０を固定したとき、ボルト４２に掛かる荷重が大きくならないので、必要以上に径の太いボルト４２を用いることがなく、また使用するボルト４２の本数が多くならない。
【００８７】
さらに、植栽パネル１０が軽量化されるため、植栽パネル１０を壁面２４に施工する際に、大型建設機械を必要とせず、人力での施工が可能となる。また、施工時間がかからないため、急な傾斜地、狭い場所など、大型機械の使用が難しい場所での施工が容易となる。また、発泡スチロールは、施工現場で簡単に切断できるため、壁面２４の形状に対応した加工が容易にできる。
【００８８】
さらに、発泡スチロールは断熱性を有するため、厳冬期において植物の根を寒さから守ることができる。このため、植物５０に良好な生育環境を提供でき、通気性を持たないため、植栽パネル１０の裏面の保水吸水シート３４に保水されている水分が蒸発しにくく、保水吸水シート３４への灌水頻度が高くならない。また、発泡スチロールは外からの熱を遮断するため、夏場の暑さによって植物の根が損傷を受けることも防止できる。
【００８９】
また、発泡スチロールの表面にウレタン及び下地材をコーティングすることで、植栽パネル１０に強度を持たせると共に経年変化による劣化の心配がない。
【００９０】
なお、本実施形態では、１０００ｍｍ×１０００ｍｍ×３０ｍｍの植栽パネル１０を並設する構成で説明したが、植栽パネル１０はこのサイズに限定されない。例えば、６００ｍｍ×９００ｍｍ×３０、９００×１８００×３０ｍｍ、１０００ｍｍ×２０００×３０ｍｍ等のサイズの植栽パネルが、基本モジュールとして用意されており、施工する壁面２４の面積に合わせて、適宜選択できるようにされている。また、植栽パネルの厚みは、強度を確保することができれば、３０ｍｍよりも薄くてよい。
【００９１】
さらに、本実施形態の植栽パネル１０は、図１に示すように、球径Φ３６ｍｍのサイズのポケット１４Ａと、球径Φ１８ｍｍのサイズのポケット１４Ｂの２種類のポケット１４を有する構成としたが、ポケット１４のサイズは上記２種類に限定されない。例えば、低木用の球径Φ１８ｍｍのポケット１４Ｂや、高木用の球径Φ３６ｍｍのポケット１４Ａの他にも、草本用の球径Φ１０ｍｍ、Φ１２ｍｍのポケット、灌木用の球径Φ２２ｍｍのポケット、中木用の球径Φ３０ｍｍのポケットを用いて、植栽パネルを構成してもよい。
【００９２】
また、図９（Ａ）に示すように、同じサイズのポケット１４を上下左右方向に同数配置したり、図９（Ｂ）に示すように、斜め方向に並べた状態でポケット１４を配置してもよく、植栽パネル１０を構成するポケット１４は、サイズ、配置位置、個数など、本実施形態に限定されない。
【００９３】
さらに、ポケット１４の形状は、４分の１の球体状としたが、植物５０が挿入可能なポケット状であれば、ポケット１４の形状は限定されない。
【００９４】
また、本実施形態では、植栽パネル１０の表面に、長板状の鋼板バー２６を配置して、植栽パネル１０の浮き上がりを防止する構成としているが、図９（Ｃ）に示すように、ワッシャー６４を用いて植栽パネル１０の浮き上がりを防止する構成としてもよい。このように、面積の小さいワッシャー６４を用いて、目立たなくすることで、見栄えが良くなる。
【００９５】
さらに、本実施形態では、図８に示すように、背面ボード３０の裏面（壁面２４に対向する面）にＳ字プレート３２を取り付けるボルト４２を表面に突出させ、このボルト４２に保水吸水シート３４、植栽パネル１０及び鋼板バー３６を挿通させてナット３７を用いて締結する構成としたが、図１０（Ａ）に示すように、背面ボード３０の表面にボルト５２のヘッド部５２Ａを取り付け、このボルト５２に保水吸水シート３４、植栽パネル１０及び鋼板バー３６を挿通させてナット３７を用いて締結してもよい。
【００９６】
また、本実施形態では、図８に示すように、壁面２４に取り付けたＳ字プレート２８に、背面ボード３０に取り付けたＳ字プレート３２を係合させることで、壁面２４に背面ボード３０を固定する構成としたが、図１０（Ｂ）に示すように、壁面２４にＬ字プレート５４を取り付け、背面ボード３０の裏面に取り付けたＬ字プレート５６とネジ５８を用いて連結させ、壁面２４に背面ボード３０を固定する構成としてもよい。このように、ネジ５８でＬ字プレート５４、５６を連結すれば、背面ボード３０や植栽パネル１０に横方向（図１０では、図の手前奥方向）に力が掛かったときに、背面ボード３０及び植栽パネル１０が横方向にずれる恐れがない。
【００９７】
さらに、本実施形態では、図１に示すように、植栽パネル１０の端部に段部２０を形成し、図１１（Ａ）に示すように、植栽パネル１０を並設する際に、隣接する植栽パネル１０の段部２０を係合させる構成としたが、図１１（Ｂ）に示すように、係合部６０の形状を略Ｌ字状とすれば、隣接する植栽パネル１０同士の係合力が強くなり、成長した植物５０（図８参照）の根によって、植栽パネル１０の端部が浮き上がることが防止できる。
【００９８】
また、本実施形態では、植栽パネル１０の裏面に溝１８を格子状に設ける構成で説明したが、必ずしも溝１８は格子状に設ける必要もなく、開口部１６に連通し、開口部１６に侵入した植物の根が、植栽パネル１０の裏面に伸張できれば、溝状でなくてもよい。
【００９９】
例えば、図１２に示すように、植栽パネル１０の裏面に、所定の間隔で複数の四角錐台状の凸部６２を設けてもよい。これにより、植栽パネル１０の裏面には、広範囲に渡って凹部が形成されるので、植栽パネル１０と、この植栽パネル１０の裏面に配置される保水吸水シート３４（図２参照）との間に、広い隙間ができる。したがって、植物５０（図８参照）の根が、植栽パネル１０の裏面に沿って伸張しやすく、植物５０が成長すると共に、植物５０の根が広範囲で保水吸水シート３４に絡みつくので、植物５０の剥離や落下の恐れがなくなる。
【０１００】
また、植栽パネル１０は、発泡スチロール等の合成樹脂で形成される構成で説明したが、植栽パネル１０の材質は、発泡スチロール以外にも、木材、金属材料、段ボール、合成樹脂等を用いてもよい。
【０１０１】
さらに、本実施形態では、背面ボード３０、保水吸水シート３４及び植栽パネル１０の周囲に見切り材を取り付けて、横方向のズレを防ぐ構成としているが、図１３に示すように、壁面２４にアンカー６５を立設し、このアンカー６５にＣチャンネル６８を介して背面ボード３０、保水吸水シート３４、植栽パネル１０を取り付け、アンカー６５の先端に設けられたタップにナット７０を締結させることで、壁面２４に背面ボード３０、保水吸水シート３４、植栽パネル１０を固定させ、これらの横方向のズレを防ぐ構成としてもよい。
【０１０２】
次に、本発明の第２の実施形態に係る壁面緑化工法について説明する。なお、第１の実施形態と同様の構成については、第１の実施形態と同符号を付与し、その説明を省略する。
【０１０３】
まず、図１４に示すように、植栽パネル７４の裏面に、保水吸水シート７６を配置する。そして、保水吸水シート７６の植栽パネル７４に取り付けられる側と反対側に、背面ボード７８を配置する。
【０１０４】
なお、本実施形態では、図１６に示すように、２つのタイプの植栽パネル７４Ａ、７４Ｂを用いている。植栽パネル７４Ａ、７４Ｂは、共にサイズが６００ｍｍ×９００ｍｍ×３０ｍｍの矩形状の発泡スチロールからなるパネル８０（図１５参照）を有している。このパネル８０の裏面には、図示は省略するが、植物９４の根が伸張可能な溝が形成されている。そして、１つのタイプの植栽パネル７４Ａのパネル８０には、四隅と中央の５箇所に同サイズの開口部８２が形成され、この開口部８２を閉塞するようにして、ポケット８４が設けられている。また、もう１つのタイプの植栽パネル７４Ｂのパネル８０には、縦方向及び横方向に２個ずつ、合計４箇所に同サイズの開口部８２が形成され、この開口部８２を閉塞するようにして、ポケット８４が設けられている。以降、植栽パネル７４Ａ、７４Ｂは、特に区別を必要としない限り、符号は省略して説明する。
【０１０５】
また、第１の実施形態と同様に、背面ボード７８は、ＰＶＣ、コンパネ、コンクリート、石材、レンガ、鋼板等を用いて形成され、保水吸水シート７６は、１〜３ｃｍの厚みを有し、フェルト、不織布、ウレタン、ヤシ繊維、スポンジ、またはこれらの素材に熱感応性ゲルや保水性ゲルを混入させたもので形成され、植物９４の根が侵入可能とされている。
【０１０６】
図１４に示すように、植栽パネル７４、保水吸水シート７６及び背面ボード７８には、それぞれ４箇所ずつ孔８６、８８、９０が形成されており、背面ボード７８の裏面（保水吸水シート７６に取り付けられる側と反対側の面）から、孔９０に差し込んだネジボルト９２を、保水吸水シート７６の孔８８及び、植栽パネル７４の孔８６に挿通させる。そして、植栽パネル７４の表面から露出したネジボルト９２の先端部分に、ワッシャー９６を介して長ナット９８を締結する。
【０１０７】
このようにして、図１５に示すように、植栽パネル７４、保水吸水シート７６及び背面ボード７８からなる壁面緑化パネル７２を形成する。
【０１０８】
なお、本実施形態では、植栽パネル７４、保水吸水シート７６及び背面ボード７８を、４箇所でネジ留めする構成で説明したが、ネジ留めする箇所は４箇所に限定されるものではなく、ポケット８４に植栽する植物９４のサイズや、植栽パネル７４のサイズ等に応じて、適宜決定される。
【０１０９】
この壁面緑化パネル７２を、温室内に運び込み、図１６に示すように、温室内に設けられたポール１５０に、横方向に並べた状態で立てかける。そして、壁面緑化パネル７２を起立させた状態で、植栽パネル７４のポケット８４内に、土壌を投入して植物９４を植栽する。
【０１１０】
また、図１７（Ａ）及び図１７（Ｂ）に示すように、長ナット９８のネジ９２に締結されていない側に、支柱１５２の端部を嵌め込む。これにより、壁面緑化パネル７２の表面から、複数の支柱１５２が突出した状態となり、この支柱１５２上に支持棒１５４を載置する。
【０１１１】
支持棒１５４は、水平となるように複数の支柱１５２上に掛け渡され、支持棒１５４と支柱１５２が交差している部分（接触している部分）を紐等で結び、支持棒１５４を支柱１５２に固定する。
【０１１２】
そして、この支持棒１５４に、ポケット８４に植栽された植物９４を、紐等で結びつける。これにより、植物９４が支持棒１５４に固定されるので、ポケット８４から植物９４が落下するのが防止される。なお、植物９４の根が、開口部８２（図１４参照）から植栽パネル７４の裏面に侵入して、保水吸水シート７６に絡み付けば、支持棒１５４及び支柱１５２を取り外しても、ポケット８４から植物９４が落下することはない。
【０１１３】
一方、図１８に示すように、壁面１５６に、アンカーボルト１５８を用いて、複数本（本実施形態では４本）のフラットバー１６０を、地面に対して略垂直状態に所定の間隔で固定する。
【０１１４】
フラットバー１６０には、長手方向に沿って、所定の間隔で複数本（本実施形態では３本）のネジボルト１６２の一端が溶接されている。なお、ネジボルト１６２は、壁面１５６に壁面緑化パネル７２を配置したときに、壁面緑化パネル７２の角部に対応する位置に設けられている。
【０１１５】
このネジボルト１６２を、植栽パネル７４の角部に形成された欠込部１６４から突出させるようにして、複数枚（本実施形態では６枚）の壁面緑化パネル７２を壁面１５６に取り付ける。このとき、１本のネジボルト１６２によって、４枚の壁面緑化パネル７２の角部が、壁面１５６に固定されるようになっている。
【０１１６】
そして、植栽パネル７４の表面に、長板状の鋼板バー１６６を配置する。この鋼板バー１６６には、孔１６８が形成されており、欠込部１６４から突出されたネジボルト１６２を、この孔１６８に挿通させる。そして、ネジボルト１６２の先端に、ワッシャー１７０を介してナット１７２を締結する。これにより、図１９に示すように、壁面緑化パネル７２は、鋼板バー１６６と壁面１５６の間に挟持された状態で、壁面１５６に固定される。
【０１１７】
なお、本実施形態では、植栽パネル７４の角部に欠込部１６４を形成し、壁面１５６から突出されたネジボルト１６２を欠込部１６４から突出させることで、１つのネジボルト１６２で４枚の壁面緑化パネル７２の角部を同時に壁面１５６に固定しているが、壁面緑化パネル７２を壁面１５６に固定する方法は、上記方法に限定されるものではなく、壁面緑化パネル７２の内側（例えば、ポケット８４近傍）で、ネジボルト１６２を用いて壁面１５６に固定させてもよい。
【０１１８】
壁面１５６に壁面緑化パネル７２を取り付けた後、壁面緑化パネル７２の上部に灌水ホース１７４を配置して、固定具１７６を用いて灌水ホース１７４を固定する。
【０１１９】
植栽パネル７４の上部及び下部は、図１７（Ａ）に示すように、表側から裏側にかけて下り傾斜となるように、テーパが設けられている。これにより、灌水ホース１７４（図１９参照）から散水された水は、テーパによって植栽パネル７４の裏側へ流れ込むようになっている。これにより、植栽パネル７４の表面に苔が生えるのを防止できる。また、灌水ホース１７４から灌水された水は、保水吸水シート７６側に流れ込むので、必要以上に灌水ホース１７４から水を灌水することがない。
【０１２０】
次に、本発明の第２の実施形態に係る壁面緑化工法の作用について説明する。
【０１２１】
植栽パネル７４の裏面に保水吸水シート７６を取り付け、この保水吸水シート７６に背面ボード７８を取り付けることで、予め壁面緑化パネル７２を形成しておく。そして、この壁面緑化パネル７２を施工場所に運び込んで、壁面１５６に取り付けることで、壁面１５６の緑化を行う。
【０１２２】
これにより、例えば温室のような、風雨の影響を受けない場所において、植栽パネル７４のポケット８４に植物９４を植栽することが可能となり、植物９４の根が植栽パネル７４のポケット８４内で根付いてから（保水吸水シート７６に絡み付いてから）、施工場所に壁面緑化パネル７２を運び込み、壁面１５６に取り付けることができる。したがって、壁面１５６に取り付けられた壁面緑化パネル７２の植物９４は、風雨などによって根受部から落下しにくい。
【０１２３】
また、植物９４をポケット８４に植栽する際に、作業者の手が届く範囲で作業を行うことができるので、壁面１５６に植栽パネル７４を取り付けてから、ポケット８４に植物９４を植栽する場合と比較して、作業効率が良くなる。
【０１２４】
さらに、壁面緑化パネル７２は、壁面１５６に設けられてネジボルト１６２が突設されたフラットバー１６０と、壁面緑化パネル７２の表面に配設された鋼板バー１６６の間に支持されて、ナット１７２によってフラットバー１６０と鋼板バー１６６で挟持されながら、壁面１５６に固定されている。これにより、壁面緑化パネル７２は壁面１５６にしっかりと固定されるので、壁面１５６に取り付けた壁面緑化パネル７２が、壁面１５６から外れてしまう恐れがない。
【０１２５】
また、植栽パネル７４のサイズを小さくすることで（第１の実施形態では、１０００ｍｍ×１０００ｍｍ×３０ｍｍとしたのに対して、第２の実施形態では、６００ｍｍ×９００ｍｍ×３０ｍｍとした）、壁面緑化パネル７２の重量が重くなりすぎず、また、壁面１５６に壁面緑化パネル７２を取り付ける際に、壁面緑化パネル７２が風に煽られにくくなるため、施工性が良くなる。
【０１２６】
さらに、ポケット８４が５個のタイプの植栽パネル７４からなる壁面緑化パネル７２と、ポケット８４が４個のタイプの植栽パネル７４からなる壁面緑化パネル７２とを、交互に配置することで、上下方向のポケット８４同士の間隔を十分に取ることができる（図１９参照）。このため、第１の実施形態のように、壁面緑化パネル７２を水平方向にずらした状態で壁面１５６に取り付ける必要がない（図２参照）。
【０１２７】
なお、本実施形態では、壁面１５６に設けられてネジボルト１６２が突設されたフラットバー１６０と、壁面緑化パネル７２の表面に配設された鋼板バー１６６で、壁面緑化パネル７２を挟み込みながら壁面１５６に固定しているが、図２０に示すように、アンカーボルト１８０を用いて壁面１５６にＨ型鋼１７８を垂直方向に所定の間隔で固定し、このＨ型鋼１７８の間に壁面緑化パネル７２を嵌め込むことで、壁面１５６に壁面緑化パネル７２を取り付けてもよい。
【０１２８】
また、図２１に示すように、壁面１５６に所定の枚数（図２１では６枚）の壁面緑化パネル７２を並べたサイズの矩形状の孔１８２を形成し、この孔１８２に壁面緑化パネル７２を嵌め込んでもよい。これにより、壁面緑化パネル７２が壁面１５６から出っ張らないので、壁面緑化パネル７２を取り付けることによって、壁面１５６の周囲の空間が狭くならない。
【０１２９】
さらに、図２２に示すように、壁面１５６に壁面緑化パネル７２を配置して、コ字型の鋼製枠１８４で、壁面緑化パネル７２の周囲を固定することで、壁面１５６に壁面緑化パネル７２を取り付けてもよい。
なお、図１９のように、壁面緑化パネル７２を、鋼板バー１６６と壁面１５６の間に挟持し、さらに、壁面緑化パネル７２の周囲を鋼製枠で固定してもよい。
【図面の簡単な説明】
【０１３０】
【図１】本発明の第１の実施形態に係る植栽パネルの斜視図である。
【図２】本発明の第１の実施形態に係る壁面緑化構造を示す分解斜視図である。
【図３】（Ａ）は第１の実施形態に係る壁面緑化工法の第１の工程を示す斜視図であり、（Ｂ）は側面断面図である。
【図４】（Ａ）は第１の実施形態に係る壁面緑化工法の第１の工程を示す斜視図であり、（Ｂ）は側面断面図である。
【図５】（Ａ）は第１の実施形態に係る壁面緑化工法の第２の工程を示す斜視図であり、（Ｂ）は側面断面図である。
【図６】（Ａ）は第１の実施形態に係る壁面緑化工法の第３の工程を示す斜視図であり、（Ｂ）は側面断面図である。
【図７】（Ａ）は第１の実施形態に係る壁面緑化工法の第３の工程を示す斜視図であり、（Ｂ）は側面断面図である。
【図８】（Ａ）は第１の実施形態の壁面緑化工法の第４の工程を示す斜視図であり、（Ｂ）は側面断面図である。
【図９】その他の形態の植栽パネルの正面図である。
【図１０】その他の形態の壁面緑化工法の部分断面図である。
【図１１】（Ａ）は第１の実施形態の植栽パネルの端部の係合状態を示す部分断面図であり、（Ｂ）はその他の形態の植栽パネルの端部の係合状態の部分断面図である。
【図１２】その他の形態の植栽パネルの裏面を示す斜視図である。
【図１３】その他の形態の壁面緑化工法を示す斜視図である。
【図１４】本発明の第２の実施形態に係る壁面緑化パネルの分解斜視図である。
【図１５】第２の実施形態に係る壁面緑化パネルの斜視図である。
【図１６】第２の実施形態に係る壁面緑化パネルを複数並べた状態を示す斜視図である。
【図１７】第２の実施形態に係る壁面緑化パネルを示す図であり、（Ａ）は側面図であり、（Ｂ）は正面図である。
【図１８】第２の実施形態に係る壁面緑化工法を示す斜視図である。
【図１９】第２の実施形態に係る壁面緑化パネルを壁面に取り付けた状態を示す斜視図である。
【図２０】その他の形態の壁面緑化パネルの壁面への取り付け状態を示す斜視図である。
【図２１】その他の形態の壁面緑化パネルの壁面への取り付け状態を示す斜視図である。
【図２２】その他の形態の壁面緑化パネルの壁面への取り付け状態を示す斜視図である。
【符号の説明】
【０１３１】
１０   植栽パネル
１２   パネル
１４   ポケット（根受部）
１６   開口部
１８   溝（凹部）
２０   段部（係合部）
２２   挿通孔
２４   壁面
３０   背面ボード
３４   保水吸水シート（保水層）
３８   灌水ホース（灌水手段、有孔ホース）
４２   ボルト
４８   土壌
５０   植物
６２   凸部
７２   壁面緑化パネル
７４   植栽パネル（パネル）
７６   保水吸水シート
７８   背面ボード
８６   孔
８８   孔
９０   孔
９４   植物
９８   長ナット（固定手段）
１５２ 支柱（固定手段）
１５４ 支持棒（固定手段）
１５６ 壁面
１５８ アンカーボルト（取付手段、ボルト）
１６０ フラットバー（取付手段、固定板）
１６６ 鋼板バー（取付手段、押さえ板）
１８２ 孔（取付手段）
１８４ 鋼製枠（囲い枠）
【図１】
2008029322.tif 000003
【図２】
2008029322.tif 000004
【図３】
2008029322.tif 000005
【図４】
2008029322.tif 000006
【図５】
2008029322.tif 000007
【図６】
2008029322.tif 000008
【図７】
2008029322.tif 000009
【図８】
2008029322.tif 000010
【図９】
2008029322.tif 000011
【図１０】
2008029322.tif 000012
【図１１】
2008029322.tif 000013
【図１２】
2008029322.tif 000014
【図１３】
2008029322.tif 000015
【図１４】
2008029322.tif 000016
【図１５】
2008029322.tif 000017
【図１６】
2008029322.tif 000018
【図１７】
2008029322.tif 000019
【図１８】
2008029322.tif 000020
【図１９】
2008029322.tif 000021
【図２０】
2008029322.tif 000022
【図２１】
2008029322.tif 000023
【図２２】
2008029322.tif 000024